(57)【要約】本発明は、連続的に変速比を変化させるトロイダル変動装置を備えた無段変速機に関する。本発明の目的は、トロイダル変動装置のローラとトロイダルディスクの間に接触力を加える手段を改善することである。本発明によると、軸方向に移動自在のトロイダルディスク（１１）の背面は、油圧で作動するピストンを形成する。油圧は調節すべり弁によって生成され、この調節すべり弁に対して、調節電気弁の初期圧力が制御圧力として供給される。本発明は、特に、自動車に関連する無段変速機に関する。
2006501410.tif 000002
【特許請求の範囲】
【請求項１】
無段変速機であって、該無段変速機において連続可変トロイダル駆動機構は入力シャフト（５）と出力シャフト（６）との間の伝達路内に配置されており、前記トロイダル駆動機構は少なくとも、
（ａ）  １つの駆動トロイダルディスク（１１、１２）と、
（ｂ）  １つの被駆動トロイダルディスク（１６、１７）と、
（ｃ）  １つのローラ（１３、１５）であって、前記駆動トロイダルディスク（１１、１２）と前記被駆動トロイダルディスク（１６、１７）との間に圧力をかけて張られており、これを用いて前記駆動トロイダルディスク（１１、１２）と前記被駆動トロイダルディスク（１６、１７）との間の駆動トルクの伝達が連続的に変化する伝達比で行われるローラ、とを有し、
（ｄ）  少なくとも１つのトロイダルディスク（１１）は軸５２−５２に沿って軸方向に移動自在となるよう取り付けられており、
（ｅ）  前記移動自在なトロイダルディスク（１１）は、油圧ピストンによる圧力の少なくとも一部の作用を受けることが可能であり、油圧が少なくとも１つのピストン表面上に作用し、
（ｆ）  前記油圧は、調節すべり弁（１４５）の調節圧力である、無段変速機。
【請求項２】
作業圧力（１４０）及び制御圧力（１４４）が前記調節すべり弁（１４５）に供給されることを特徴とする、請求項１に記載の無段変速機。
【請求項３】
前記制御圧力（１４４）は、ソレノイド調節弁（１４２）によって提供されることを特徴とする、請求項２に記載の無段変速機。
【請求項４】
前記調節すべり弁（１４５）は２つの制御端部を有することを特徴とする、請求項３に記載の無段変速機。
【請求項５】
ばね装置（ばね１３２、ばね１３３）は、前記油圧との並列又は直列に接続されて、前記無段変速機の少なくとも部分的操作範囲に前記圧力の少なくとも一部を加えることを特徴とする、請求項１〜４のいずれか一項に記載の無段変速機。
【請求項６】
前記油圧は前記トロイダルディスク（１１）に直接作用することを特徴とする、請求項１〜５のいずれか一項に記載の無段変速機。
【請求項７】
圧力空間（１２３）は、前記移動自在なピストンを形成する前記トロイダルディスク（１１）を用いて、及び中間キャリヤ（１１１）の作業シリンダ(１１７)を用いて形成され、前記圧力空間（１２３）は前記油圧によって作用することを特徴とする、請求項６に記載の無段変速機。
【請求項８】
前記中間キャリヤ（１１１）は、前記軸５２−５２に関して軸方向に移動不能に取り付けられることを特徴とする、請求項７に記載の無段変速機。
【請求項９】
前記中間キャリヤ（１１１）は、ばね（１３３）の作用の下に前記軸（５２−５２）に関して軸方向に移動自在に取り付けられることを特徴とする、請求項７に記載の無段変速機。
【請求項１０】
前記圧力の一部を加えるばね（１３２）は、前記圧力空間（１２３）内に配置されることを特徴とする、請求項７、８あるいは９に記載の無段変速機。
【請求項１１】
前記油圧は、前記調節すべり弁（１４５）の前記調節スライドにフィードバックされることを特徴とする、請求項１〜１０のいずれか一項に記載の無段変速機。
【発明の詳細な説明】
【技術分野】
【０００１】
本発明は、無段変速機に関するもので、請求項１から選択された特徴によると、この変速機においては連続可変トロイダル駆動機構が入力シャフトと出力シャフトとの間の伝達路に配置される。
【背景技術】
【０００２】
無段変速機では、駆動トルクの伝達は、摩擦範囲の変化に従って歯車要素の摩擦連結を介して行われる。そのためには、必要な摩擦力が伝達できるような圧力の加え方が求められる。
【０００３】
巻き付き式の無段変速機は、変更された接触条件のため本発明の主題とは異なるが、一方では、位置エネルギー蓄積装置、ここではばね、を用いて圧力を加えることが特許文献１によって知られている。この場合のばねは、関連する摩擦対象上に作用する基本圧力を確保する。もう一方で、圧力の別の成分は、圧力媒体、ここではピストン／シリンダアセンブリ、によって作動される力生成装置を用いて確保される。
【０００４】
さらに、駆動トロイダルディスクと被駆動トロイダルディスクとの間に配置されたローラの旋回を用いて、摩擦範囲を設定するための油圧装置の使用は、特許文献２より周知である。
【０００５】
【特許文献１】独国特許出願公開第  ２８  ５３  ０２８号明細書
【特許文献２】独国特許出願公開第  １９７  ３３  ６６０  Ａ１号明細書
【発明の開示】
【発明が解決しようとする課題】
【０００６】
本発明の目的は、圧力を加える最適な手段を有する連続可変トロイダル駆動機構を備えた無段変速機を提案することである。
【課題を解決するための手段】
【０００７】
本発明が基づいている目的は、請求項１の特徴によって達成される。
【０００８】
本発明による無段変速機では、連続可変トロイダル駆動機構は、入力シャフトと出力シャフトとの間の伝達路内に配置される。このトロイダル駆動機構に加えて、無段変速機には別の歯車群が設けられても良い。無段変速機は、特に、例えば複数の駆動範囲を有する動力分割式変速機である。
【０００９】
連続可変トロイダル駆動機構は、少なくとも１つの駆動トロイダルディスクと、少なくとも１つの被駆動トロイダルディスクと、駆動及び被駆動トロイダルディスクの間に圧力をかけて保持される少なくとも１つのローラとを有する。駆動アセンブリの駆動トルクの駆動トロイダルディスクから被駆動トロイダルディスクへの伝達は、ローラを用いて行われる。伝達比は、駆動又は被駆動トロイダルディスクとローラとの摩擦範囲の変動の結果、連続的に変化し得る。こうしたトロイダル型変速機は、直列に接続された１つ以上のチャンバを備えたものであってもよく、従って、１つ以上の駆動及び被駆動トロイダルディスク及びローラを備えたものとなる。
【００１０】
少なくとも１つのトロイダルディスクは、軸に沿って軸方向に移動自在となるように取り付けられる。この移動の自由度は、トロイダルディスクとローラとの間に圧力を導入する機能を果たす。移動自在なトロイダルディスクは、圧力の作用を受けることが可能である。圧力は、油圧ピストンを用いて、油圧が作用するピストン表面上に、少なくとも部分的に生成される。トロイダルディスクに対する圧力の伝達は、間接的に、例えば機械的接続要素を介して行われてもよく、あるいは直接的に、すなわちトロイダルディスク上への油圧の直接作用を用いて行われてもよい。
【００１１】
本発明によると、油圧とは調節すべり弁の調節圧力である。トロイダル型の変速機の圧力（の少なくとも一部）を確保するための調節すべり弁の使用は、圧力を確保するには特に有効で、信頼性のある簡易な方法である。この場合、それ自体は周知であり大量生産されている調節すべり弁を使用しても良い。さらに、調節すべり弁の調節スライドの表面比の適切な編成を通じて、低い制御圧力を用いてより高い調節圧力を正確に設定することも可能である。これによって、制御のためのコストは、例えば寸法の小さい制御装置を用いることで、最小限にすることができる。
【００１２】
本発明の発展形態によると、制御圧力はソレノイド調節弁によって提供される。このタイプのソレノイド調節弁は、油圧信号が正確に事前設定され、電気信号の事前設定を介した高い原動力を備えるので、コスト面及び調節品質面で特に有利である。
【００１３】
本発明による無段変速機の発展形態によると、無段変速機の少なくとも部分的操作範囲に少なくとも一部の圧力を加えるばね装置が、油圧と共に並列又は直列に接続されて設けられている。このことは、利用可能な油圧がなくても、例えば駆動アセンブリの始動時等に、ばね装置によってもたらされる最小圧力が必要とされる場合に、特に有利である。さらにばね装置は、最小限もしくは恒常的に必要な力を利用可能にすることができる。ばね装置は、油圧に対する支援を提供する働きをし得るので、油圧の確保に必要な装置の寸法をより小さくすることができる。
【００１４】
好ましくは、油圧は、トロイダルディスクに直接作用する。この場合、トロイダルディスクは、特にローラの反対側で、油圧による作用を受ける油圧ピストンを形成する。これにより、特にコンパクトな配置がもたらされ、圧力の加え方はトロイダルディスクに対して特に直接的なものとなる。本発明の発展形態によると、圧力の一部を加えるばねは、移動自在ピストン及び作業シリンダによって形成される圧力空間に配置される。これにより、特にコンパクトな配置が得られる。
【００１５】
無段変速機の有利な改良形態によると、油圧は調節すべり弁の調節スライドに対してフィードバックされる。本発明のこの改良形態によると、油圧を検出するための測定センサは必要ない。調節圧力が変動する際、調節スライドにおける状態は、調節スライドにフィードバックされた油圧による影響を自動化された形で受けることになるので、その結果自己調整が行われる。
【００１６】
有利な発展形態は、詳細な説明及び図面から推測されるであろう。本発明による無段変速機の好ましい例示的実施形態を、図面を参照して以下に詳細に説明する。
【発明を実施するための最良の形態】
【００１７】
本発明は、特に自動車用の無段変速機において使用される。本無段変速機は、動力分割を伴うあるいは伴わない、直結歯車を備えた又は備えていない、シングルレンジもしくはマルチレンジの変速機である。
【００１８】
図１によると、連続可変トロイダル駆動機構７、中間遊星歯車８、及び出力遊星歯車９は、エンジンによって従来の方法で駆動可能な入力シャフト５と、自動車の車輪に対して従来の方法で連結可能な出力シャフト６との間の伝達路内に配置される。
【００１９】
入力シャフト５は、トロイダル駆動機構７の隣接したトロイダル中心駆動ディスク１１に対する移動を固定され、また、同軸中心中間シャフト１０を介して、中間遊星歯車８の２連結プラネタリーキャリヤ１８に対する移動も固定して接続され、上記プラネタリーキャリヤは、今度は、トロイダル駆動機構７の第２中心トロイダル駆動ディスク１２に対する回転を固定して接続され、上記駆動ディスク１２は、プラネタリーキャリヤ１８に隣接して配置され、伝達路内で第１駆動ディスク１１に並列に接続される。同軸中間シャフト１４は入力及び出力シャフト５、６の共通の幾何学的回転軸５２−５２に対して同軸に配置されており、中心中間シャフト１０が遊隙を持ってシャフト１４の中を貫通しており、シャフト１４は互いに隣接して配置されたトロイダル駆動機構７の２つの中心トロイダル被駆動ディスク１６、１７に対する移動を固定して接続され、さらに中間歯車８の内部中心歯車１９に対する移動も固定して接続されている。トロイダル駆動機構内において従来の方法で、駆動ディスク１１又は１２は、関連する被駆動ディスク１６又は１７と、ローラ１３、１５として知られる円盤状遊星を介して摩擦接触しており、それらローラは、それぞれ特定の回転軸の回りを回転自在に、かつそれら回転軸に対し直角な旋回軸の回りを旋回自在に配置されるが、他方では回転軸５２−５２に一致するトロイダル駆動機構７の中心軸についての位置は一定不変となる。
【００２０】
内部中心歯車２０は、中間歯車８のプラネタリーキャリヤ１８の１つの連結部に取り付けられた主遊星４６を含み、プラネタリーキャリヤ１８の放射状駆動連結部の両側に配置された歯付きリング４３を備えており、その一方の歯付きリング４３は同軸の中間シャフト１４に接続された内部中心歯車１９とかみ合い、他方の歯付きリング４３は第２内部中心歯車４８とかみ合い、その歯車４８は、放射状駆動連結部のもう一方の側に軸方向に配置され、最終的には、今度は、係合可能かつ開放可能なクラッチＫ２を含んだ、出力歯車の第１歯車部材を形成する内部中心歯車２１に対する駆動接続５０を有する。主遊星４６の歯付きリング４３は、中間歯車８の１つの内部中心歯車１９とかみ合い、これに加えて二次遊星６３ともかみ合い係合しており、この二次遊星６３はプラネタリーキャリヤ１８の第２連結部に取り付けられており、さらに二次遊星６３自体は外部中心歯車２２とかみ合い、この歯車２２が、係合可能かつ開放可能なクラッチＫ１を含んだ、出力歯車９の第２歯車部材を形成する外部中心歯車２４に対する駆動接続２３を有する。
【００２１】
出力歯車９は、プラネタリーキャリヤ２５の形で第３歯車部材を有し、このプラネタリーキャリヤ２５は非回転ケーシング部２６に対して回転できないように放射支持連結部３６を用いて固定されており、またプラネタリーキャリヤ２５は同じ歯数を有する２つの歯付きリング３７を備えた遊星歯車３４を支持し、これら歯付きリング３７は放射支持連結部３６の両側に配置され、２つのうち中間歯車８に隣接して位置する一方の歯付きリング３７は、内部歯車２１と外部歯車２４との両方にかみ合う。
【００２２】
出力歯車９は、第２外部中心歯車２７の形で第４の歯車部材を有し、この外部中心歯車２７は遊星歯車３４の他方の歯付きリング３７とかみ合い、出力シャフト６に対する被駆動接続２８を有する。
【００２３】
駐車用歯止め車３３は、外部中心歯車２７の外周上に、同心に動きを固定して配置される。
【００２４】
低位の駆動範囲では、クラッチＫ１は係合され、クラッチＫ２は開放されるので、動力は中間シャフト１０、１４を介して分割して中間歯車８に供給され、歯車内で再び統合され、駆動接続２３と、ここでは分割比１：１にシフトされる出力歯車９とを介して、出力シャフト６に伝達される。
【００２５】
中間歯車８内の主遊星４７の歯付きリング４４、４５は、同一のあるいは異なる歯数を有しても良い。上位駆動範囲における伝達比は、歯付きリング４４、４５の歯数の比の変動によって変わり得る。
【００２６】
本発明による特徴と容易に組み合わせることのできる無段変速機の他の態様は、特許文献ＤＥ  １００  ２１  ９１２、ＤＥ  １００  ４０  １２６、ＤＥ  ２００  ２２４  ５３、ＤＥ  １００  ４０  ０３９、ＤＥ  １００  ３０  ７７９、ＤＥ  １０１  ３２  ６７４、ＤＥ  １０１  ２１  ０４２、ＤＥ  １０１  ２５  ８１７、ＤＥ  １０２  ０２  ７５４、ＤＥ  １０１  ５４  ０９５、ＤＥ  １０１  ５４  ９２８、ＤＥ  １０２  １８  ３５６、及びＤＥ  １０２  ０６  ２０２により周知であり、これらの開示により本応用例の主題が形成されている。
【００２７】
図２及び３は、トロイダルディスクをシャフトに対して回転を固定された状態の例示的実施形態の図で、トロイダルディスクに対して軸５２−５２の方向に向けられた垂直抗力を加える可能性があり、上記実施形態はトロイダルディスクと少なくとも１つのローラとの間に摩擦接触を確保する機能を果たす。図２及び３に図示した例示的実施形態によると、本発明による原理が、入力シャフト５に対して駆動トロイダルディスク１１を固定した状態を用いた一例として図示されている。
【００２８】
駆動シャフト５は、駆動アセンブリに面した領域１００において、外部スレッド１０１、中間歯車８の方向にスレッド１０１に隣接しかつ溝付き歯部１０３を備えた部分領域１０２、スレッド１０１に関してわずかに拡大された外側直径、及び部分領域１０２に隣接した円筒形部分領域１０４を有する。
【００２９】
部分領域１０２に対する回転を固定して接続されたフランジ１０５は、ハブ１０６と軸５２−５２に対して横に向けられたフランジ付きディスク１０７を有する。ハブ１０６は、部分領域１０２の幾何学的外形に適合する幾何学的内部構成を有し、入力シャフト５とハブ１０６とは回転を固定された接続を形成する。フランジ１０５は、スレッド１０１にねじ留めされるシャフトナット１０８上で駆動アセンブリの方向に軸方向に支えられる。フランジ１０５を軸方向に固定する機能に加えて、さらに、シャフトナット１０８を介して、フランジ１０５の正確な位置決めも実施することができる。フランジ付きディスク１０７の中にねじ留めされたねじ１０９は、シャフトナット１０８を固定する固定手段１１０を支える。
【００３０】
中間キャリヤ１１１は、軸５２−５２に対して同軸に配置され、ハブ１１２を有する。ハブ１１２は、円筒形穴１１４が中間歯車８の方向に隣接している内部溝付き歯部１１３を有する。内部溝付き歯部１１３は、溝付き歯部１０３に回転を固定された接続を形成する。円筒形穴１１４付近には、部分領域１０４において駆動シャフト５に関してハブ１１２を密閉する密閉要素１１５が配置される。中間歯車８から離れた方を向いているハブ１１２の末端領域では、中間キャリヤ１１１は中空円筒形延長部１１６を有し、この延長部１１６を介して中間キャリヤ１１１はフランジ付きディスク１０７に関して軸方向に支持される。延長部１１６は、隙間又は中間嵌めを形成するようにハブ１０６を取り囲む。
【００３１】
中間キャリヤ１１１は、図２に示す部分断面図においてＵ型形状を有する作業シリンダ１１７を有する。作業シリンダの（軸５２−５２の回りに伸びている）Ｕ型断面は、ハブ１１２によって形成される内部側脚部１１８、軸５２−５２に対して横に向けられた（環状）基礎脚部１１９、及び側脚部１２０を用いて形成される。作業シリンダ１１７は、中間歯車８の方向に開口する。
【００３２】
駆動トロイダルディスク１１は、駆動アセンブリに面した末端領域において、（環状）ピストン１２１を有し、このピストン１２１は、側脚部１２０と駆動トロイダルディスク１１の外側表面との間の歯部１２２を介して、駆動トロイダルディスク１１と作業シリンダ１１７とが、互いに回転を固定しつつも軸方向には移動可能に接続されるように、またピストン１２１が、密閉要素１２４、１２５を用いて側脚部１１８、１２０の付近で密閉される作業空間１２３を、作業シリンダ１１７と共に形成するように、作業シリンダ１１７内に収容される。密閉要素１２４は、ハブ１１２の外側環状溝内に収容され、ピストン１２１の内側円筒形表面部の付近でピストン１２１に動作可能に接続される。密閉要素１２５は、ピストン１２１の半径方向に外側の環状溝内に収容され、側脚部１２０に動作可能に接続される。
【００３３】
作業空間１２３は、油圧接続１２６に油圧的に接続される。油圧接続１２６は環状のダクトで、このダクトを用いて、中間キャリヤ１１１が回転する際に油圧媒体を供給することが可能となる。油圧接続１２６は好ましくはハブ１１２の付近に配置され、２つの密閉要素１７０、１７１を用いて密閉される。図２によると、油圧接続１２６の作業空間１２３に対する接続は、油圧接続１２６から発して軸５２−５２に対して横を向いているブラインド穴１２７と、作業空間１２３から駆動アセンブリの方向に軸５２−５２に対して鋭角に傾けられたブラインド穴１２８とを用いて行われ、ブラインド穴１２７、１２８はそれらの末端付近で互いに出会う。駆動トロイダルディスク１１に対して回転を固定した駆動シャフト５の接続の場合、駆動トロイダルディスク１１は、作業空間１２３への圧力の作用によって、中間歯車８の方向に軸方向の圧力によって作動する。駆動トロイダルディスク１１は、駆動シャフト５に関して転がり軸受け１２９を介してディスク１１の内部で半径方向に支えられる。遊隙１３０を確保するため、転がり軸受け１２９の回転体は、ハブ１１２の端面と、駆動トロイダルディスク１１の内部に放射状に配置された固定リング１３１との間の軸方向に誘導される。
【００３４】
軸方向に作用する１つ（以上）のばね要素が、作業空間１２３内に配置される。図２に示す例示的実施形態によると、このばね要素は、軸５２−５２に対して同軸に配置された円盤状ばね１３２である。
【００３５】
図３に示す例示的実施形態によると、代替もしくは別の実施形態では、ばね要素１３３は、延長部１１６とフランジ付きディスク１０７との間に配置され、ばね要素１３３は中間キャリヤ１１１の移動をもたらし、その結果、駆動トロイダルディスク１１の中間歯車８方向への移動をもたらす。作業空間１２３への圧力の追加的作用によって、油圧及びばね要素１３３の力は、機械的に並列に接続されて作用する。
【００３６】
図４は、油圧接続１２６の圧力供給の例示的実施形態を示す。作業圧力管路１４０では、作業圧力が利用可能で、この作業圧力は、例えばエンジンで駆動しタンクから作業圧力管路の中へ油圧液を運ぶポンプによって提供される。（一定の）低供給圧力は、供給圧力管路１４１に提供される。供給圧力管路１４１は、ソレノイド弁１４２の投入口に接続される。電気信号１４３に従って、ソレノイド弁１４２は、制御圧力管路１４４においてソレノイド弁１４２の出力を形成する制御圧力を生成する。制御圧力は、電気信号１４３に従って所定の区間内で変動することができる。
【００３７】
作業圧力管路１４０及び制御圧力管路１４４は、調節すべり弁１４５への投入口として導かれる。調節すべり弁１４５は、作業圧力と制御圧力を、それ自体は既知の方法で、調節圧力管路１４６を経由して油圧接続１２６に供給される調節圧力に加工する（適切な場合、調節すべり弁１４５への差し戻しも伴う）。図４に図示する油圧回路を用いて、調節装置による所定の電気信号は、比例した油圧信号へと変換される。
【００３８】
調節すべり弁１４５はケーシング２００を有し、このケーシング２００の中では、調節スライド２０１が、軸２０２−２０２の軸方向に移動自在に誘導される。制御圧力１４４は、調節スライド２０１の一方の端面上の制御圧力空間２０３において作用する。このためには、調節すべり弁１４５は、調節スライド２０１から半径方向に配置され、制御圧力管路１４４に接続される環状ダクト２０４を有する。制御圧力空間２０３と環状ダクト２０４との間には、調節スライド２０１の制御端２０５を用いて上記調節スライド２０１の位置に応じて閉じたり削減したりするオーバフロー断面が設けられる。
【００３９】
さらに、調節すべり弁１４５は、調節圧力管路１４６に油圧的に接続された調節圧力空間２０６を有する。環状管路２０７は作業圧力管路１４０に接続される。制御縁端部２０８は、環状管路２０７から調節圧力空間２０６へのオーバフローを調節し、オーバフロー断面は、調節スライド２０１の位置に応じて、完全閉鎖することもあるいは部分的に開口することもできる。
【００４０】
調節圧力管路１４６の調節圧力は、バイパス管路２０９を経由してバイパス空間２１０の中へ戻される。バイパス空間２１０では、戻された調節圧力は、戻された調節圧力に依存する合力が残るように、調節スライド２０１の端面上に作用する。制御圧力空間２０３の反対側に位置する調節スライド２０１の端面は、ケーシング２００に対して調節スライドを支持する機能を果たし、位置エネルギー蓄積装置、特に圧縮ばね、が間に置かれる。
【００４１】
図５は、駆動媒体の摩擦係数の推移を示すと同時に、トロイダルディスク１１、１６又は１７、１２と割り当てられたローラ１３又は１５との間の圧力又は垂直抗力１５３に対する摩擦係数１５２を示す図である。臨界圧力１５０（「ガラス転移」）未満では、摩擦特性曲線１５１は、急速に低値に落ち込み、一方で、臨界圧力を超えると、ほぼ一定の水準になる高い摩擦係数が存在する。
【００４２】
操作点の設計とばね要素１３２、１３３の寸法を決めるために、参照として、個々の牽引媒体用の牽引マップが知られており、例として次のものがある。
Ｓ．アイハラ（Ｓ．Ａｉｈａｒａ）、Ｓ．ナツメダ（Ｓ．Ｎａｔｓｕｍｅｄａ）、Ｈ．アチハ（Ｈ．Ａｃｈｉｈａ）：高い接触圧力を伴う牽引駆動機構におけるＥＨＬ牽引（ＥＨＬ  Ｔｒａｃｔｉｏｎ  ｉｎ  ｔｒａｃｔｉｏｎ  ｄｒｉｖｅｓ  ｗｉｔｈ  ｈｉｇｈ  ｃｏｎｔａｃｔ  ｐｒｅｓｓｕｒｅ）、日本精工株式会社（ＮＳＫ  Ｌｔｄ．）研究開発センター（神奈川県藤沢市鵠沼神明１−５−５０）。
【００４３】
図５に示す摩擦特性曲線は、操作条件に関して変動する。特に、臨界圧力１５０は、例えば、駆動体の周辺速度、操作条件における変動の大きさ、エンジン始動、駆動媒体の温度等の操作パラメータに依存する。従来の設計方法は、臨界圧力１５０を、全ての又は複数の可能な操作条件について決定する。実際の設計は、臨界圧力１５０に安全性を加味して行われ、それによって決定される。これに対して、本発明によると、臨界圧力１５０は、安全性の加味を削減することなくあるいは削減しつつも、及び／又は最適化された操作範囲においてのみ決定され、ばね要素１３０、１３４によって放出される基本圧力は、臨界圧力がばね要素１３３、１３４によって高くとも選択された操作状態になるように設計される。臨界圧力１５０における移動の結果、別の操作状態で必要とされる別の圧力は、油圧系によって提供される。
【００４４】
位置エネルギー蓄積装置によって利用可能となる圧力は、好ましくは、合計で、７００Ｎ／ｍｍ２、１５００Ｎ／ｍｍ２又は１８００Ｎ／ｍｍ２となり、これに従って、ばね要素１３２、１３３の設計が実行される。この場合の最大圧力は、合計で約４０００  Ｎ／ｍｍ２である。
【図面の簡単な説明】
【００４５】
【図１】本発明による無段変速機の実施形態の半断面図の概略図である。
【図２】位置エネルギー蓄積装置と、圧力媒体によって作動する動力生成装置の、並列接続を備えた本発明による変速機の部分断面図である。
【図３】位置エネルギー蓄積装置と、圧力媒体によって作動する動力生成装置の、直列接続を備えた変速機の部分断面図である。
【図４】ソレノイド弁及び調節スライドを備え、圧力媒体によって作動する動力生成装置に作用する油圧システムの基本図である。
【図５】圧力に応じてローラとトロイダルディスクとの間の接触媒体の例示的摩擦特性曲線を示すグラフである。
【図１】
2006501410.tif 000003
【図２】
2006501410.tif 000004
【図３】
2006501410.tif 000005
【図４】
2006501410.tif 000006
【図５】
2006501410.tif 000007
【手続補正書】
【提出日】平成16年1月14日(2004.1.14)
【手続補正１】
【補正対象書類名】特許請求の範囲
【補正対象項目名】全文
【補正方法】変更
【補正の内容】
【特許請求の範囲】
【請求項１】
無段変速機であって、該無段変速機において連続可変トロイダル駆動機構は入力シャフト（５）と出力シャフト（６）との間の伝達路内に配置されており、前記トロイダル駆動機構は少なくとも、
（ａ）  １つの駆動トロイダルディスク（１１、１２）と、
（ｂ）  １つの被駆動トロイダルディスク（１６、１７）と、
（ｃ）  １つのローラ（１３、１５）であって、前記駆動トロイダルディスク（１１、１２）と前記被駆動トロイダルディスク（１６、１７）との間に圧力をかけて張られており、これを用いて前記駆動トロイダルディスク（１１、１２）と前記被駆動トロイダルディスク（１６、１７）との間の駆動トルクの伝達が連続的に変化する伝達比で行われるローラ、とを有し、
（ｄ）  少なくとも１つのトロイダルディスク（１１）は軸５２−５２に沿って軸方向に移動自在となるよう取り付けられており、
（ｅ）  前記移動自在なトロイダルディスク（１１）は、油圧ピストンによる圧力の少なくとも一部の作用を受けることが可能であり、油圧が少なくとも１つのピストン表面上に作用し、
（ｆ）  前記油圧は、調節すべり弁（１４５）の調節圧力であり、
（ｇ）  作業圧力（１４０）及び制御圧力（１４４）は、前記調節すべり弁（１４５）に供給され、
（ｈ）  前記制御圧力（１４４）は、ソレノイド調節弁（１４２）によって提供され、
（ｉ）  前記制御圧力（１４４）及び前記調節圧力は、作用とは反対方向にある調節スライド（２０１）の末端面に作用する、無段変速機。
【請求項２】
前記調節すべり弁（１４５）は２つの制御端部を有することを特徴とする、請求項１に記載の無段変速機。
【請求項３】
ばね装置（ばね１３２、ばね１３３）は、前記油圧との並列又は直列に接続されて、前記無段変速機の少なくとも部分的操作範囲に前記圧力の少なくとも一部を加えることを特徴とする、請求項１あるいは２に記載の無段変速機。
【請求項４】
前記油圧は前記トロイダルディスク（１１）に直接作用することを特徴とする、請求項１〜３のいずれか一項に記載の無段変速機。
【請求項５】
圧力空間（１２３）は、前記移動自在なピストンを形成する前記トロイダルディスク（１１）を用いて、及び中間キャリヤ（１１１）の作業シリンダ(１１７)を用いて形成され、前記圧力空間（１２３）は前記油圧によって作用することを特徴とする、請求項４に記載の無段変速機。
【請求項６】
前記中間キャリヤ（１１１）は、前記軸５２−５２に関して軸方向に移動不能に取り付けられることを特徴とする、請求項５に記載の無段変速機。
【請求項７】
前記中間キャリヤ（１１１）は、ばね（１３３）の作用の下に前記軸（５２−５２）に関して軸方向に移動自在に取り付けられることを特徴とする、請求項６に記載の無段変速機。
【請求項８】
前記圧力の一部を加えるばね（１３２）は、前記圧力空間（１２３）内に配置されることを特徴とする、請求項５、６あるいは７に記載の無段変速機。
【請求項９】
前記油圧は、前記調節すべり弁（１４５）の前記調節スライドにフィードバックされることを特徴とする、請求項１〜８のいずれか一項に記載の無段変速機。
【国際調査報告】
2006501410.tif 000008
2006501410.tif 000009
2006501410.tif 000010
2006501410.tif 000011
2006501410.tif 000012
2006501410.tif 000013